(57)【要約】【課題】燃料電池本体にかかる負荷を低減でき、凝縮水の腐敗防止が可能な燃料電池発電装置の発電方法及び燃料電池発電装置を提供する。【解決手段】改質器３と、ＣＯ変成器３ｃと、燃料電池本体１と、水タンク４と、水タンク４内の凝縮水を脱イオン処理する水処理装置１０と、脱イオン処理した凝縮水を貯水する脱イオン水タンク１２とを備え、ＣＯ変成器３ｃと燃料電池本体１とを接続する経路に、改質ガス凝縮水を分離するドレンＱ１を設け、このドレＱ１ンに、改質ガス凝縮水を系外に排出する排水ラインＬ２ａと、改質ガス凝縮水を脱イオン水タンクに供給する水処理タンク供給ラインＬ２ｂとを接続し、水タンク４及び／又は脱イオン水タンク１２の水位が所定値以上のときには、改質ガス凝縮水を排出ラインＬ２ａに流し、水位が所定値以下になったときには、改質ガス供給ラインＬ２ｂに流すように制御される燃料電池発電装置を用いる。【選択図】図１
2009224122.tif 000002
【特許請求の範囲】
【請求項１】
原燃料を水蒸気改質して改質ガスを生成する改質触媒層及び該改質触媒層に反応熱を供給する燃焼部を有する改質器と、改質器で生成した改質ガスをＣＯ変成処理するＣＯ変成器と、前記ＣＯ変成された改質ガス及び酸化剤ガスとの反応により発電を行う燃料電池本体とを備えた燃料電池発電装置を用い、
前記改質器の燃焼部から排出される燃焼排ガス及び前記燃料電池本体から排出される燃料電池排ガスから排ガス凝縮水を回収して水タンクに貯留し、該水タンクの排ガス凝縮水を水処理装置にて脱イオン化して脱イオン水タンクに貯留し、この脱イオン水を燃料電池本体の冷却水、酸化剤ガスの加湿水及び改質水として利用する燃料電池発電装置の発電方法において、
前記改質器及び前記ＣＯ変成器を通して生成する改質ガスの流路に設けたドレンによって改質ガス凝縮水を分離し、前記水タンク及び／又は前記脱イオン水タンクの水位が所定値以上のときには、前記改質ガス凝縮水を系外に排出し、前記水タンク及び／又は前記脱イオン水タンクの水位が所定値以下になったときには、前記改質ガス凝縮水を脱イオン水タンクに供給することを特徴とする燃料電池発電装置の発電方法。
【請求項２】
前記燃料電池本体は、りん酸形燃料電池である、請求項１に記載の燃料電池発電装置の発電方法。
【請求項３】
原燃料を水蒸気改質して改質ガスを生成する改質触媒層及び該改質触媒層に反応熱を供給する燃焼部を有する改質器と、前記改質器で生成した改質ガスをＣＯ変成処理するＣＯ変成器と、前記ＣＯ変成された改質ガス及び酸化剤ガスとの反応により発電を行う燃料電池本体と、前記改質器の燃焼部から排出される燃焼排ガス及び前記燃料電池本体から排出される燃料電池排ガスから凝縮水を回収して貯留する水タンクと、前記水タンク内の凝縮水を脱イオン処理する水処理装置と、前記脱イオン処理した凝縮水を貯水する脱イオン水タンクとを備えた燃料電池発電装置において、
前記ＣＯ変成器と前記燃料電池本体とを接続する経路に、改質ガス凝縮水を分離するドレンを設け、このドレンに、改質ガス凝縮水を系外に排出する排水ラインと、改質ガス凝縮水を脱イオン水タンクに供給する水処理タンク供給ラインとを接続し、改質ガス凝縮水を前記排水ラインと前記水処理タンク供給ラインとに選択的に流す流路切替手段を設け、
前記流路切替手段は、前記水タンク及び／又は前記脱イオン水タンクの水位が所定値以上のときには、前記改質ガス凝縮水を前記排出ラインに流し、前記水タンク及び／又は前記脱イオン水タンクの水位が所定値以下になったときには、前記改質ガス凝縮水を改質ガス供給ラインに流すように制御されることを特徴とする燃料電池発電装置。
【請求項４】
前記燃料電池本体は、りん酸形燃料電池である、請求項３に記載の燃料電池発電装置。
【発明の詳細な説明】
【技術分野】
【０００１】
本発明は、燃料電池本体にかかる負荷を低減でき、凝縮水の腐敗防止が可能な燃料電池発電装置の発電方法及び燃料電池発電装置に関する。
【背景技術】
【０００２】
燃料電池本体から排出される燃料電池排ガスや、改質器の燃焼部から排出される燃焼排ガスは水分を含んでおり、燃料電池発電装置の系内での水自立（外部からの補給水を受けいれることなく運転を継続する状態）を維持するため、これらの排ガスから凝縮水を回収し、イオン交換樹脂や電気式脱イオン装置などの水処理装置にて、脱イオン処理を行って再利用することが一般的に行われている。
【０００３】
ところで、生ゴミ等からメタン発酵処理して生成したバイオガスなどを改質反応の原燃料として用いた場合、バイオガスは窒素成分を含んでいるので、炭化水素の水蒸気改質反応時に、生成した水素と、原燃料に含まれている窒素成分とが反応してアンモニア類が副生する。そして、アンモニア類が燃料電池本体に流入すると、セル特性を低下させるなどの問題があった。
【０００４】
このため、改質ガスからアンモニアを除去する試みが行われており、例えば、下記特許文献１には、改質ガスと水とを接触させ、改質ガス中のアンモニアを水中に溶解させて、改質ガスからアンモニアを除去することが開示されている。
【特許文献１】特開２００３−３１２４７号公報
【発明の開示】
【発明が解決しようとする課題】
【０００５】
上記特許文献１では、改質ガスと水とを接触させて、改質ガス中のアンモニアを水中に溶解させることで、改質ガスからアンモニアを低減している。そして、アンモニアを溶解した水は、アンモニアを除去したのち再利用するようにしている。
【０００６】
ところで、炭化水素の水蒸気改質反応や、改質ガスのＣＯ変成反応では、メタノール等のアルコール類が副生する。これらのアルコール類は、微生物の栄養源となるため、アルコール類を含む水を系内において循環利用し続けると、微生物が繁殖し、著しい場合には、系内配管の閉塞を引き起こす恐れがあった。
【０００７】
メタノールは水に対し任意に溶解するので、上記特許文献１のように、改質ガス中のアンモニアを水中に溶解させて除去する場合、アンモニアを溶解させた水には、メタノールが含まれている。このため、アンモニアを溶解させた水を系内で循環利用し続けると、微生物が繁殖するおそれがあった。
【０００８】
したがって、本発明の目的は、燃料電池本体にかかる負荷を低減でき、凝縮水の腐敗防止が可能な燃料電池発電装置の発電方法及び燃料電池発電装置を提供することにある。
【課題を解決するための手段】
【０００９】
上記目的を達成するため、燃料電池発電装置の発電方法は、原燃料を水蒸気改質して改質ガスを生成する改質触媒層及び該改質触媒層に反応熱を供給する燃焼部を有する改質器と、改質器で生成した改質ガスをＣＯ変成処理するＣＯ変成器と、前記ＣＯ変成された改質ガス及び酸化剤ガスとの反応により発電を行う燃料電池本体とを備えた燃料電池発電装置を用い、前記改質器の燃焼部から排出される燃焼排ガス及び前記燃料電池本体から排出される燃料電池排ガスから排ガス凝縮水を回収して水タンクに貯留し、該水タンクの排ガス凝縮水を水処理装置にて脱イオン化して脱イオン水タンクに貯留し、この脱イオン水を燃料電池本体の冷却水、酸化剤ガスの加湿水及び改質水として利用する燃料電池の発電方法において、
前記改質器及び前記ＣＯ変成器を通して生成する改質ガスの流路に設けたドレンによって改質ガス凝縮水を分離し、前記水タンク及び／又は前記脱イオン水タンクの水位が所定値以上のときには、前記改質ガス凝縮水を系外に排出し、前記水タンク及び／又は前記脱イオン水タンクの水位が所定値以下になったときには、前記改質ガス凝縮水を脱イオン水タンクに供給することを特徴とする。
【００１０】
また、本発明の燃料電池発電装置は、原燃料を水蒸気改質して改質ガスを生成する改質触媒層及び該改質触媒層に反応熱を供給する燃焼部を有する改質器と、前記改質器で生成した改質ガスをＣＯ変成処理するＣＯ変成器と、前記ＣＯ変成された改質ガス及び酸化剤ガスとの反応により発電を行う燃料電池本体と、前記改質器の燃焼部から排出される燃焼排ガス及び前記燃料電池本体から排出される燃料電池排ガスから凝縮水を回収して貯留する水タンクと、前記水タンク内の凝縮水を脱イオン処理する水処理装置と、前記脱イオン処理した凝縮水を貯水する脱イオン水タンクとを備えた燃料電池発電装置において、
前記ＣＯ変成器と前記燃料電池本体とを接続する経路に、改質ガス凝縮水を分離するドレンを設け、このドレンに、改質ガス凝縮水を系外に排出する排水ラインと、改質ガス凝縮水を脱イオン水タンクに供給する水処理タンク供給ラインとを接続し、改質ガス凝縮水を前記排水ラインと前記水処理タンク供給ラインとに選択的に流す流路切替手段を設け、
前記流路切替手段は、前記水タンク及び／又は前記脱イオン水タンクの水位が所定値以上のときには、前記改質ガス凝縮水を前記排出ラインに流し、前記水タンク及び／又は前記脱イオン水タンクの水位が所定値以下になったときには、前記改質ガス凝縮水を改質ガス供給ラインに流すように制御されることを特徴とする。
【００１１】
本発明において、前記燃料電池本体は、りん酸形燃料電池であることが好ましい。
【発明の効果】
【００１２】
本発明によれば、改質器及びＣＯ変成器を通して生成する改質ガスの流路に設けたドレンによって改質ガス凝縮水を分離し、水タンク及び／又は脱イオン水タンクの水位が所定値以上のときには、改質ガス凝縮水を系外に排出するようにしたので、改質ガス中に含まれるアンモニアやメタノールは、上記改質ガス凝縮水に溶解して系外に排出される。
また、水タンク及び／又は脱イオン水タンクの水位が所定値以下になったときには、改質ガス凝縮水を脱イオン水タンクに供給することにより、燃料電池発電装置への水の供給を外部から行うことなく自立させて運転を継続させることができる。改質ガスから分離された凝縮水は、炭酸ガスなどの含有量が少ないので、水処理装置などで脱イオン化することなく、直接脱イオン水タンクに供給しても、大きな問題は生じない。
こうして、改質ガス凝縮水の回収先を水タンクではなく脱イオンタンクとしたことで、水タンク中で微生物が繁殖して水処理装置を閉塞させることがなくなり、また脱イオン水タンクの水温は、水タンクよりも高温であるので微生物が繁殖し難い。
さらに、改質ガスから分離した凝縮水を常時は排出し、水タンク及び／又は脱イオン水タンクの水位が所定値以下になったときのみ、脱イオン水タンクに供給して、燃料電池本体の冷却水、酸化剤ガスの加湿水及び改質水として再利用するようにしたので、微生物の繁殖を抑制でき、更には、外部から市水などを供給することなく、燃料電池発電装置の水自立を保つことができる。
【００１３】
また、燃料電池本体としてリン形燃料電池を用いた場合には、冷却水の温度がおよそ１６０℃以上となるので、改質ガスドレン凝縮水中に含まれるメタノールなどのアルコール類は、前記温度では気化すると共に、冷却水タンク中の水温が高いため、微生物が発生するおそれがない。
【発明を実施するための最良の形態】
【００１４】
以下、図面に基づいて本発明の燃料電池発電装置の実施形態を説明する。
【００１５】
図中の１は、燃料電池本体であって、電解質１ｃを挟持するアノード電極１ａ及びカソード電極１ｂと、これらからなる単位セルの複数個を重ねる毎に配設される冷却管を有する冷却系１ｄとで構成されている。
【００１６】
燃料電池本体１としては、電解質１ｃとして固体高分子を用いた固体高分子形燃料電池や、電解質１ｃとしてりん酸を用いたりん酸形燃料電池が好ましく挙げられる。
【００１７】
アノード電極１ａの改質ガス供給側は、改質器３から伸びた改質ガス供給ラインＬ１が連結している。この改質ガス供給ラインＬ１には、上流側から、ＣＯ変成器３ｃ、改質ガスドレントラップＱ１が配置されている。
改質ガスドレントラップＱ１の凝縮水貯留部からは、改質ガス凝縮水引き抜きラインＬ２が伸びている。この改質ガス凝縮水引き抜きラインＬ２は、改質ガス凝縮水排水ラインＬ２ａと改質ガス凝縮水供給ラインＬ２ｂとに分岐している。
【００１８】
改質ガス凝縮水排水ラインＬ２ａの先端は、図示しない排水口に接続しており、改質ガス凝縮水を系外に排水するように構成されている。
改質ガス凝縮水供給ラインＬ２ｂは、改質ガス凝縮水供給ポンプＰ１が介装され、その先端部は電池冷却水タンク１２に接続しており、改質ガス凝縮水供給ポンプＰ１を作動することで、改質ガス凝縮水を電池冷却水タンク１２に供給できるように構成されている。
この実施形態においては、改質ガス凝縮水供給ポンプＰ１が、本発明における「切換手段」を構成している。
【００１９】
アノード電極１ａのアノードオフガス排出側からは、アノードオフガス排出ラインＬ３が伸びており、その先端側は、燃焼用燃料供給ラインＬ１２に連結している。また、アノードオフガス排出ラインＬ３には、途中にアノードオフガスドレントラップＱ２が配置されており、アノードオフガスドレントラップＱ２の凝縮水貯留部からは、アノードオフガス凝縮水供給ラインＬ４が伸びて、脱炭酸装置５に連結している。
【００２０】
カソード電極１ｂの空気供給側は、空気供給源から伸びた空気供給ラインＬ５が連結している。この空気供給ラインＬ５には、加湿器２が配置されている。
カソード電極１ｂの排空気排出側からは、カソードオフガス排出ラインＬ６が伸びて、水タンク４に連結している。このカソードオフガス排出ラインＬ６には、カソードオフガス熱交換器Ｑ３が配置されている。
【００２１】
冷却系１ｄの冷却水供給側は、電池冷却水タンク１２から伸びた電池冷却水供給ラインＬ７が連結している。
冷却系１ｄの冷却水排出側からは、電池冷却水排出ラインＬ８が伸びて、電池冷却水タンク１２に接続している。
【００２２】
改質器３は、水蒸気改質触媒が充填された改質触媒層３ａと、バーナが配置された燃焼部３ｂとを備え、バーナで燃焼用燃料を燃焼した際に発生する燃焼熱及び燃焼排ガスで前記改質触媒層３ａを加熱するように構成されている。
【００２３】
改質触媒層３ａの改質原料の投入側は、原燃料源から伸びた原燃料供給ラインＬ９と、電池冷却水タンク１２から伸びた改質水供給ラインＬ１０が連結している。
改質触媒層３ａの改質ガス吐出側からは、改質ガス供給ラインＬ１が伸びてアノード電極１ａに連結している。
【００２４】
燃焼部３ｂの燃焼燃料導入口側は、燃焼用燃料供給ラインＬ１２と、燃焼空気供給ラインＬ１１とが連結しており、燃焼部３ｂに配置されたバーナに燃料用燃料と燃焼用空気とを供給できるように構成されている。燃焼用燃料供給ラインＬ１２の上流側は、アノードオフガス排出ラインＬ３及び原燃料供給ラインＬ９が接続している。
燃焼部３ｂの燃焼排ガス排出側からは、燃焼排ガスラインＬ１３が伸びて、脱炭酸装置５に接続している。燃焼排ガスラインＬ１３には、途中燃焼排ガス熱交換器Ｑ４が配置されている。
【００２５】
脱炭酸装置５は、水タンク４の上部に隣接して配設されており、ドレン口６を介して連通している。脱炭酸装置５の上部には、アノードオフガス凝縮水供給ラインＬ４、燃焼排ガスラインＬ１３が連結している。また、脱炭酸装置５からは、排気ラインＬ１７が伸びている。
【００２６】
脱炭酸装置５としては特に限定はなく、凝縮水と脱炭酸用空気とを接触させて凝縮水中の炭酸ガスを気中拡散して脱気できるような構成のものが好ましく用いることができる。このような構成の脱気装置としては、ＳＵＳ等のラッシヒリングが充填された脱気部を備え、該脱気部の上部に凝縮水を供給すると共に、脱気部の下部から脱炭酸用空気を供給し、凝縮水を重力落下させながら脱炭酸用空気と接触させて脱炭酸処理するような構成のものや、例えば、特開２００７−３２３９６９号に開示されているような、多孔質材料で構成された傾斜板が配置された脱気部を備え、傾斜板の下部側から上部側へ脱炭酸用空気を流通させると共に、傾斜板の上部側から下部側へ向けて凝縮水を流下させて、凝縮水を脱炭酸処理するような構成のものなどが一例として挙げられる。
【００２７】
水タンク４には、カソードオフガス排出ラインＬ６と、電池冷却水タンク１２から伸びた電池冷却水オーバフローラインＬ１８が接続している。
【００２８】
また、水タンク４の側壁には、タンク水オーバフローラインＬ１９が伸びて、タンク内の水位が一定水位を超えないようにされている。
【００２９】
また、水タンク４の下部からは、回収水供給ラインＬ２０が伸びて、電池冷却水タンク１２に接続している。この回収水供給ラインＬ２０には、上流側から入口フィルタ８、水処理装置１０が配置されている。
【００３０】
入口フィルタ８としては、水タンク４で回収した回収水に含まれている煤や粉塵等の不純物を除去するものであれば特に限定はなく、金属除去フィルタ、微粒子除去フィルタ等が好ましく挙げられる。
【００３１】
水処理装置１０としては、水タンク４で回収した回収水を脱イオン処理する装置であれば特に限定はなく、電気式脱イオン装置、金属イオン除去装置、活性炭フィルタ、水処理樹脂（イオン交換樹脂など）などが挙げられる。これらを単独で使用してもよく、複数を併用してもよい。なかでも、ランニングコストやメンテナンスコストを低減できるという理由から電気式脱イオン装置を使用することが好ましく、電気式脱イオン装置の上流側に金属イオン除去装置を配置し、電気式脱イオン装置の下流側に水処理樹脂を配置することがより好ましい。
【００３２】
次に、このような構成の燃料電池発電装置を用いた、本発明の燃料電池発電装置の発電方法を説明する。
【００３３】
改質器３では、原燃料供給ラインＬ９から供給される原燃料を、改質水供給ラインＬ１０から供給される改質水と混合して、改質触媒層３ａに供給し、水蒸気改質反応により水素に富む改質ガスを生成させる。水蒸気改質反応は、吸熱反応であることから、改質器３の燃焼部３ｂに、燃焼用燃料供給ラインＬ１２から燃焼用燃料と、燃焼空気供給ラインＬ１１から燃焼空気を供給し、これらを燃焼して改質触媒層３ａを加熱する。なお、燃料電池発電装置の起動開始時においては、燃焼用燃料としては、原燃料供給ラインＬ９から供給される原燃料を主体として用いられ、燃焼部３ｂでの燃焼状態が安定し、改質触媒層３ａが十分加熱されたら、アノードオフガスが主体として用いられる。
【００３４】
改質器３で生成された改質ガスは、ＣＯ変成器３ｃにてＣＯ変成反応によりＣＯ濃度を低減し、改質ガスドレントラップＱ１にて凝縮水を回収した後、アノード電極１ａに供給される。
【００３５】
燃料電池本体１では、アノード電極１ａに供給された改質ガスと、カソード電極１ｂに供給された空気とを電解質１ｃの界面で電気化学反応させて発電し、この発電出力を電力系統に供給する。
【００３６】
カソード電極１ｂから排出されるカソードオフガスは、カソードオフガス熱交換器Ｑ３で冷却されて、カソードオフガス凝縮水とカソードガスと共に、カソードオフガス排出ラインＬ６を通って水タンク４に供給される。
【００３７】
アノード電極１ａから排出されるアノードオフガスは、アノードオフガス排出ラインＬ３を通って燃焼部３ｂへと供せられ、燃焼用燃料として用いられる。アノードオフガスに含まれる凝縮水は、アノードオフガス排出ラインＬ３の途中に配置されたアノードオフガスドレントラップＱ２にて回収され、アノードオフガス凝縮水供給ラインＬ４を通って脱炭酸装置５に供給される。
【００３８】
改質器３の燃焼部３ｂから排出される燃焼排ガスは、燃焼排ガス熱交換器Ｑ４で冷却されて、燃焼排ガスと共に脱炭酸装置５に供給される。
【００３９】
そして、水タンク４に回収された凝縮水は、回収水供給ラインＬ２０から引き抜かれ、まず、入口フィルタ８にて煤や粉塵等の不純物除去が行われた後、水処理装置１０に送られて脱イオン処理がなされ、処理水は、電池冷却水タンク１２に送られ、電池冷却水、加湿水、改質水などに使用される。
【００４０】
前述したように、改質反応に用いる原燃料として、バイオガスなどの窒素成分を含んでものを使用した場合、炭化水素の水蒸気改質反応時に、生成した水素と、原燃料に含まれている窒素成分とが反応してアンモニア類が副生する。アンモニア類が燃料電池本体１に流入すると、セル特性を低下させる危険性があった。
【００４１】
これに対し、本発明によれば、燃料電池本体１に改質ガスを供給する前に、改質ガスドレントラップＱ１を通して、改質ガス中に含まれる凝縮水を、改質ガスドレントラップＱ１で回収することとした。アンモニアは、水に対する溶解性が高いので、改質ガスドレントラップＱ１を通すことで、改質ガス中のアンモニア濃度を効率よく低減でき、アンモニア量の極めて少ない改質ガスを燃料電池本体１に供給することができる。
【００４２】
また、炭化水素の水蒸気改質反応や、改質ガスのＣＯ変成反応では、メタノール等のアルコール類が副生するので、改質ガスから回収した凝縮水（以下、「改質ガス凝縮水」と記す）には、メタノールが多量に溶解しており、極めて微生物が繁殖しやすくなっている。水自立を維持するには、改質ガス凝縮水を循環利用する必要がある場合がある。
【００４３】
本発明では、水タンク４及び／又は電池冷却水タンク１２の水位が所定値を超えているときは、改質ガス凝縮水供給ポンプＰ１を停止して、改質ガス凝縮水排水ラインＬ２ａを通って系外に改質ガス凝縮水を排水させ、水タンク４及び／又は電池冷却水タンク１２の水位が所定値以下になったら、改質ガス凝縮水供給ポンプＰ１を作動して、改質ガス凝縮水を電池冷却水タンク１２に供給するようにしたので、外部から市水などを供給しなくとも、自立させて運転を継続させることができる。水タンク４、電池冷却水タンク１２の水位は、タンク内に水位センサなどを設置することで測定できる。
【００４４】
なお、改質ガスから分離された凝縮水は、炭酸ガスなどの含有量が極めて少ないので、水処理装置１０などで脱イオン処理しなくとも、直接電池冷却水タンク１２に供給しても、大きな問題は生じない。また、電池冷却水タンク１２は、比較的高温であり、特に燃料電池本体１としてりん酸形燃料電池を用いた場合においては、冷却水の温度がおよそ１６０℃以上となるので、電池冷却水タンク１２内は微生物が繁殖しにくい環境にあり、メタノールが混入していても、凝縮水は腐敗しにくい。また、電池冷却水タンク１２のメタノールは、改質水と同伴して改質器３に供給され、改質反応で消費されるので、凝縮水を再利用したとしても、メタノールが濃縮されるおそれもない。
【００４５】
こうして、改質ガス凝縮水を常時は改質ガス凝縮水排水ラインＬ２ａを通して系外に排出し、水タンク４及び／又は電池冷却水タンク１２の水位が所定値以下になったときのみ、改質ガス凝縮水供給ポンプＰ１を作動して電池冷却水タンク１２に供給して、冷却水、加湿水及び改質水として再利用するようにしたので、微生物の繁殖を抑制でき、更には、外部から市水などを供給することなく、燃料電池発電装置の水自立を保つことができる。
【図面の簡単な説明】
【００４６】
【図１】本発明の燃料電池発電装置の実施形態の概略構成図である。
【符号の説明】
【００４７】
１：燃料電池本体
１ａ：アノード電極
１ｂ：カソード電極
１ｃ：電解質
１ｄ：冷却系
２：加湿器
３：改質器
３ａ：改質触媒層
３ｂ：燃焼部
３ｃ：ＣＯ変成器
４：水タンク
５：脱炭酸装置
６：ドレン口
８：入口フィルタ
１０：水処理装置
１２：電池冷却水タンク
Ｌ１：改質ガス供給ライン
Ｌ２：改質ガス凝縮水引き抜きライン
Ｌ２ａ：改質ガス凝縮水供給ライン
Ｌ２ｂ：改質ガス凝縮水供給ライン
Ｌ３：アノードオフガス排出ライン
Ｌ４：アノードオフガス凝縮水供給ライン
Ｌ５：空気供給ライン
Ｌ６：カソードオフガス排出ライン
Ｌ７：電池冷却水供給ライン
Ｌ８：電池冷却水排出ライン
Ｌ９：原燃料供給ライン
Ｌ１０：改質水供給ライン
Ｌ１１：燃焼空気供給ライン
Ｌ１２：燃焼用燃料供給ライン
Ｌ１３：燃焼排ガスライン
Ｌ１７：排気ライン
Ｌ１８：電池冷却水オーバフローライン
Ｌ１９：タンク水オーバフローライン
Ｌ２０：回収水供給ライン
Ｐ１：改質ガス凝縮水供給ポンプ
Ｑ１：改質ガスドレントラップ
Ｑ２：アノードオフガスドレントラップ
Ｑ３：カソードオフガス熱交換器
Ｑ４：燃焼排ガス熱交換器
【図１】
2009224122.tif 000003